(57)【特許請求の範囲】
【請求項１】
蓋に空気取入れ孔を開け、ロータの回転に伴って発生する負圧によって前記空気取入れ孔から外気を遠心室に吸引し、その外気によって遠心室内を冷却する空冷式遠心分離機において、前記蓋を上板と下板とによって２重に構成し、前記下板に前記空気取入れ孔を形成するとともに、該空気取入れ孔の中心を貫通してその先端が遠心室内に臨む下方ほどその水平断面積が小さくなる錘形状の遮蔽部材を前記上板に設け、前記上板と前記下板との間に流入した外気を前記空気取入れ孔と前記遮蔽部材との間から前記遠心室内に流入するようにしたことを特徴とする空冷式遠心分離機。
【請求項２】
前記下板の空気取入れ孔の周縁で前記上板側の面に、環状の肉盛り部を形成したことを特徴とする請求項１に記載の空冷式遠心分離機。
【発明の詳細な説明】
【０００１】
【発明の属する技術分野】
本発明は、空冷式遠心分離機に関するもので、詳しくは、ロータの回転による負圧を利用して外気を取り入れて遠心室を冷却する空冷式遠心分離機に関するものである。
【０００２】
【従来の技術】
遠心分離機では、ロータが高速回転されるため、ロータが遠心室内の空気と摩擦し、またロータの動力源であるモータが加熱されるため、その熱がロータに伝達され、それによって遠心室内の温度が上昇してしまう。このような遠心室の温度上昇は、血液等の試料を変性させてしまう虞がある。
そこで、遠心室の温度の上昇を防止する簡単な冷却手段として、図２に示したように、蓋１の中央部に空気取入れ孔２を形成し、遠心室３を画成する側壁４の下部に空気排出孔５を形成するとともに、該孔５および本体ケース６に形成した排気口７を介して遠心室３を外部へ連通させ、ロータ８の回転に伴ってロータ８の中心部に発生する負圧を利用し、空気取入れ孔２から外気を遠心室３内に取り入れ、その外気を空気排出孔５および排気口７を介して排出させ、それによって遠心室３内を冷却する構成のものが提供されている。
【０００３】
【発明が解決しようとする課題】
ところで、上記空冷式遠心分離機では、ロータ８の回転に伴って、蓋１の空気取り入れ孔２から外気が遠心室３内に吸引される際に、空気による騒音が発生する。この騒音は、ロータ８の回転速度が高まるにしたがって大きくなる。このような騒音は、特に静かな病院等においては好ましくない。
【０００４】
そこで、本発明の目的は、簡単な構造で騒音を抑制することのできる空冷式遠心分離機を提供することにある。
【０００５】
【課題を解決するための手段】
空冷式遠心分離機では、空気取入れ孔の径が小さい程、騒音が小さいことが確認されたが、空気取入れ孔の径が小さいと十分な量の外気を取り入れることができない。そこで、発明者は、十分な量の外気を取り入れることができ、かつ騒音を低減するために、各種形状の空気取入れ孔を形成して実験を行った結果、空気取入れ孔の径を大きくしても、該孔の中心部を特定な形状をもった遮蔽部材で塞ぎ、該遮蔽部材と空気取入れ孔との間に画成される空気通路によって外気を遠心室内に案内すれば、騒音を低減することができることを見出した。
【０００６】
即ち、本発明に係る請求項１の空冷式遠心分離機では、蓋に空気取入れ孔を開け、ロータの回転に伴って発生する負圧によって前記空気取入れ孔から外気を遠心室に吸引し、その外気によって遠心室内を冷却する空冷式遠心分離機において、前記蓋を上板と下板とによって２重に構成し、前記下板に前記空気取入れ孔を形成するとともに、該空気取入れ孔の中心を貫通してその先端が遠心室内に臨む下方ほどその水平断面積が小さくなる錘形状の遮蔽部材を前記上板に設け、前記上板と前記下板との間に流入した外気を前記空気取入れ孔と前記遮蔽部材との間から前記遠心室内に流入するようにした。
この場合には、外気は遮蔽部材の錐形状表面によって案内され、外気を遠心室へスムースに導入することができる。
また、この場合には、遮蔽部材を設けた上板と空気取入れ孔を形成した下板とを別に形成し、遮蔽部材の先端部を空気取入れ孔に臨ませた状態で、かつ間隔をもって上板と下板とを一体化して蓋を形成することができ、空気取入れ部を簡単に構成することができる。
【０００７】
また、本発明に係る請求項２の空冷式遠心分離機では、前記下板の空気取入れ孔の周縁で前記上板側の面に、環状の肉盛り部を形成している。
この場合には、空気の流れをよりスムースにすることができる。
【０００８】
【発明の実施の形態】
図１は本発明に係る空冷式遠心分離機の一実施の形態を示した概念的な断面図である。
【０００９】
この遠心分離機１０では、本体ケース１１の上部に上方に開口１２を有する遠心室１３が形成されている。そして、この遠心室１３を画成する側壁１４の下部外周には通気路１５が形成されている。また、側壁１４の下部には一または複数箇の空気排出孔１６が形成され、本体ケース１１の側壁１７にも排気口１８が形成されており、遠心室１３の下部は空気排出孔１６，通気路１５，排気口１８を介して外部に連通されている。
【００１０】
遠心室１３の下方には、モータ１９が配置され、該モータ１９はフランジ２０がゴム等によって形成された弾性部材２１を介して本体ケース１１に設置されている。そして、このモータ１９の駆動軸１９ａの先端部は遠心室１３の底部を突き抜けて遠心室１３内に突出されており、その先端にはロータ２２が設置されている。
【００１１】
また、この遠心分離機１０では、本体ケース１１の開口１２を閉塞するための蓋２３がヒンジ２４によって開閉可能に設置されている。一方本体ケース１１の開口１２の周縁にはガスケット２５が設置されており、蓋２３が開口１２を覆った状態では、蓋２３と本体ケース１１の開口１２の周縁との間はガスケット２５によってシールされる。
【００１２】
この蓋２３は、上板２６と下板２７とによって形成されている。上板２６の中央部には錐形の遮蔽部材２８が立設されており、下板２７の中央部には空気取入れ孔２９が形成されている。そして、上板２６と下板２７は、遮蔽部材２８の先端部２８ａが空気取入れ孔２９の中心を貫通するようにし、かつ適宜な間隙３０をもって互いに重ね合わされて一体化される。その場合、間隙３０は三方が上板２６または下板２７の側壁によって塞がれた状態にあり、一方のみが外部に開口されて吸気口３１を形成している。また、下板２７の空気取入れ孔２９の周縁で上板２６側の面には、空気の流れをスムースにするために環状の肉盛り部３２が形成されている。
【００１３】
このように構成された遠心分離機１０では、蓋２３で本体ケース１１の開口１２を閉塞した状態で、ロータ２２を回転させると、該ロータ２２の回転によって生じる負圧によって、蓋２３の吸気口３１から間隙３０内に外気が導入され、さらに空気取入れ孔２９と錐形の遮蔽部材２８とによって画成される環状の通気路３３を経て遠心室１３内に導入される。そして、遠心室１３内に導入された外気は、空気排出孔１６から通気路１５に排出され、さらに排気口１８から外部へ排出される。
【００１４】
なお、上記実施の形態では遮蔽部材２８を、その水平な断面積が先端に行くに従って小さくなる円形とし、かつ垂直断面外形線が凹曲線によって形成したものを示しているが、本発明に係る遮蔽部材２８は、その水平な断面積が先端に行くに従って小さくなる円形とし、かつ垂直断面外形線が凸曲線に形成させたものであってもよい。本発明では、水平断面が先端に行くに従ってその面積が小さくなるような形状を錐形と称している。
また、空気取入れ孔２９と遮蔽部材２８とによって画成される環状の通気路３３の面積は、少なくとも十分な空気が取り入れられる大きさにする必要がある。しかし、通気路３３の面積が大き過ぎると騒音が発生し、通気路３３の面積が小さ過ぎると遠心室１３に外気が十分に導入されなくなる。このようなことから、空気取入れ孔２９と同一断面上で、空気取入れ孔２９の径に対する遮蔽部材２８の外径は、２５〜７５パーセントであることが好ましい。
【００１５】
【発明の効果】
本発明に係る請求項１の空冷式遠心分離機によれば、外気が遮蔽部材の錐形状表面によって遠心室へスムースに案内されるので、簡単な構成によって騒音を低減することができる。
また、遮蔽部材を設けた上板と空気取入れ孔を形成した下板とを別に形成し、遮蔽部材の先端部を空気取入れ孔に臨ませた状態で、かつ間隔をもって上板と下板とを一体化して蓋を形成することができ、空気取入れ部を簡単に構成することができる。
【００１６】
また、本発明に係る請求項２の空冷式遠心分離機によれば、下板の空気取入れ孔の周縁で上板側の面に形成した環状の肉盛り部によって、空気の流れをよりスムースにすることができる。
【図面の簡単な説明】
【図１】本発明に係る空冷式遠心分離機の一実施の形態を示した概念的な断面図である。
【図２】従来の空冷式遠心分離機を概念的に示した断面図である。
【符号の説明】
１０        遠心分離機
１１        本体ケース
１２        開口
１３        遠心室
１４        側壁
１５        通気路
１６        空気排出孔
１７        側壁
１８        排気口
１９        モータ
１９ａ      駆動軸
２０        フランジ
２１        弾性部材
２２        ロータ
２３        蓋
２４        ヒンジ
２５        ガスケット
２６        上板
２７        下板
２８        遮蔽部材
２８ａ      先端部
２９        空気取入れ孔
３０        間隙
３１        吸気口
３２        膨出部
３３        通気路
【図１】
0003999991.tif 000002
【図２】
0003999991.tif 000003